Podtech/llm-jp-corpus-v4-ja_patent huggingface dataset:
【手続補正書】
【提出日】平成18年8月9日(2006.8.9)
【手続補正１】
【補正対象書類名】特許請求の範囲
【補正対象項目名】全文
【補正方法】変更
【補正の内容】
【特許請求の範囲】
【請求項１】
第１の表示素子と、
該第１の表示素子の厚みよりも薄い第２の表示素子と、
前記第１の表示素子および前記第２の表示素子のうち少なくとも一方の表示素子に隣接する領域に配置され、情報を入力するための情報入力手段と、
前記第１の表示素子の配置領域以外の領域に配置され、前記第２の表示素子および前記情報入力手段が実装された基板とを有することを特徴とする電子機器。
【請求項２】
前記第１の表示素子および前記第２の表示素子が、互いに隣接する領域に配置されていることを特徴とする請求項１に記載の電子機器。
【請求項３】
前記第２の表示素子の厚みおよび前記基板の厚みの和が前記第１の表示素子の厚み以下であることを特徴とする請求項１又は２に記載の電子機器。
【請求項４】
前記基板が、硬質基板であることを特徴とする請求項１に記載の電子機器。
【請求項５】
前記第１の表示素子および前記第２の表示素子は、これらの表示面が同一面内に位置するように配置されていることを特徴とする請求項１から３のいずれかに記載の電子機器。
【請求項６】
前記第１の表示素子が機器本体の一方の外装面に沿って配置され、前記第２の表示素子が前記一方の外装面に対して対向する他方の外装面に沿って配置されていることを特徴とする請求項１から３のいずれかに記載の電子機器。
【手続補正２】
【補正対象書類名】明細書
【補正対象項目名】００３１
【補正方法】変更
【補正の内容】
【００３１】
ＴＦＴ表示素子２１およびＬＣＤ表示素子２２の表示窓を構成する透光部材たる外装パネル２５は、カメラ本体１の背面に接着または溶着等により固定されており、カメラ本体１の外装を構成している。外装パネル２５の表面には、遮光用塗料膜が、例えばインモールド成形によって射出成形されている。
【手続補正３】
【補正対象書類名】明細書
【補正対象項目名】００３９
【補正方法】変更
【補正の内容】
【００３９】
また、メモリ３０５に記憶された画像データは、Ｄ／Ａ変換器３０６で再びアナログ信号に変換された後、ＴＦＴ表示素子２１に送られ、撮影画像として表示される。メモリーカード３１５に記録されている画像データは、圧縮／解凍回路３１４及びＤ／Ａ変換器３０６を介して読み出され、ＴＦＴ表示素子２１に表示される。これにより、メモリーカード３１５に記録され、過去に撮影した画像データを確認することができる。
【手続補正４】
【補正対象書類名】明細書
【補正対象項目名】００６７
【補正方法】変更
【補正の内容】
【００６７】
１カメラ本体
２撮像素子
３光学フィルタ
４シャッタユニット
５先幕
６後幕
７サブミラー
８メインミラー
９レンズ装置
１０ 焦点検出ユニット
１１ ファインダー光学系
１３ 絞りユニット
２１ ＴＦＴ表示素子
２２ ＬＣＤ表示素子
２３ 接眼レンズ
２４ ボタンスイッチ
３１ レリーズボタン
１０１ タクトスイッチ
１０２ プリント配線基板
１０３ 板バネ
１０４ 保持枠
４０１ 機器本体
４０２ 第１のＴＦＴ表示素子
４０３ 第２のＴＦＴ表示素子
４０４ ボタンスイッチ
４０５ 撮像センサ
４０６ スピーカ
４０７ マイク
４０８ スイッチ
４０９ 基板
【手続補正５】
【補正対象書類名】図面
【補正対象項目名】図４
【補正方法】変更
【補正の内容】
【図４】
2005065030.tif 000001
【手続補正書】
【提出日】平成18年8月17日(2006.8.17)
【手続補正１】
【補正対象書類名】特許請求の範囲
【補正対象項目名】全文
【補正方法】変更
【補正の内容】
【特許請求の範囲】
【請求項１】
映像信号と音声信号と制御信号とを伝送する光信号伝送装置であって、
入力した少なくとも映像情報を含む電気信号を光信号に変換して出力する少なくとも１つの第１の電気―光変換手段と、
入力した少なくとも映像信号を含まない電気信号を光信号に変換して出力する少なくとも１つの第２の電気―光変換手段と、
前記第１の電気―光変換手段より出力された光信号を入力して少なくとも映像情報を含む電気信号に変換して出力する少なくとも１つの第１の光―電気変換手段と、
前記第２の電気―光変換手段より出力された光信号を入力して少なくとも映像信号を含まない電気信号に変換して出力する少なくとも１つの第２の光―電気変換手段と、
前記第１の電気―光変換手段と前記第１の光―電気変換手段との間に配置されて光信号の伝送される第１の光ファイバーと、
前記第２の電気―光変換手段と前記第２の光―電気変換手段との間に配置されて光信号の伝送される第２の光ファイバーと、を具備することを特徴とした光信号伝送装置。
【請求項２】
前記第１の光ファイバーと第２の光ファイバーとが異なる種類の光ファイバーである、ことを特徴とした請求項１に記載の光信号伝送装置。
【請求項３】
前記第１の光ファイバーがグレイデッドインデックス型光ファイバー、前記第２の光ファイバーがステップインデックス型光ファイバーである、ことを特徴とした請求項１または請求項２に記載の光信号伝送装置。
【請求項４】
前記第１の電気―光変換手段が垂直共振型面発光レーザダイオードであり、
前記第２の電気―光変換手段が発光ダイオードである、ことを特徴とした請求項３に記載の光信号伝送装置。
【請求項５】
前記第１および／または前記第２の光ファイバーがプラスチック光ファイバーである、ことを特徴とした請求項１乃至請求項４の何れか１項に記載の光信号伝送装置。
【請求項６】
前記第１の光ファイバーで伝送される信号が、複数の映像信号をシリアル信号にパラレルシリアル変換したシリアルデジタルである、ことを特徴とした請求項１乃至請求項５の何れか１項に記載の光信号伝送装置。
【請求項７】
前記第１の光ファイバーが、複数の映像信号に対応した複数の光ファイバーである、ことを特徴とした請求項１乃至請求項５の何れか１項に記載の光信号伝送装置。
【手続補正２】
【補正対象書類名】明細書
【補正対象項目名】００２９
【補正方法】変更
【補正の内容】
【００２９】
このため、高帯域の映像信号を高品質に伝送でき、かつ高帯域を必要としない信号も光ファイバーで伝送するため距離による損失劣化が少ない。
請求項４に記載の発明は、請求項３に記載の光信号伝送装置において、前記第１の電気―光変換手段が垂直共振型面発光レーザダイオードであり、前記第２の電気―光変換手段が発光ダイオードである、ことを特徴としている。
【手続補正３】
【補正対象書類名】明細書
【補正対象項目名】００３０
【補正方法】変更
【補正の内容】
【００３０】
請求項５に記載の発明は、請求項１乃至請求項４の何れか１項に記載の光信号伝送装置において、前記第１および／または前記第２の光ファイバーをプラスチック光ファイバーとした、ことを特徴としている。
【手続補正４】
【補正対象書類名】明細書
【補正対象項目名】００３２
【補正方法】変更
【補正の内容】
【００３２】
請求項６に記載の発明では、請求項１乃至請求項５の何れか１項に記載の光信号伝送装置において、複数の映像信号をシリアル信号にパラレルシリアル変換したシリアルデジタルとして１本の第１の光ファイバーで伝送する、ことを特徴としている。
【手続補正５】
【補正対象書類名】明細書
【補正対象項目名】００３４
【補正方法】変更
【補正の内容】
【００３４】
請求項７に記載の発明は、請求項１乃至請求項５の何れか１項に記載の光信号伝送装置において、複数の映像信号に対応して複数の光ファイバーで伝送する、ことを特徴としている。
【手続補正書】
【提出日】平成18年6月23日(2006.6.23)
【手続補正１】
【補正対象書類名】特許請求の範囲
【補正対象項目名】全文
【補正方法】変更
【補正の内容】
【特許請求の範囲】
【請求項１】
複数本の箒毛を束ねると共に筒状体に収納した箒毛束を柄の先端に取り付けて強度補強を施した強度補強箒において、前記筒状体が揺動自在のコイルスプリングであり、前記コイルスプリングの少なくとも一部が前記箒毛束に密着している構成であることを特徴とする強度補強箒。
【請求項２】
コイルスプリングの頭部は、隣接するコイル部が密着しており、他の部分は離開したコイル部であることを特徴とする請求項１に記載の強度補強箒。
【請求項３】
前記コイルスプリングが根元部より先端部方向に向かって次第に拡開している構成であることを特徴とする請求項１又は２に記載の補強箒。
【請求項４】
請求項１〜３のいずれかに記載の強度補強箒を用い、該強度補強箒の複数本の箒毛を束ねた箒毛束が、これを囲むコイルスプリングによって揺動しながら、ゴミを掃き寄せることを特徴とする清掃方法。
【手続補正２】
【補正対象書類名】明細書
【補正対象項目名】００１１
【補正方法】変更
【補正の内容】
【００１１】
１．複数本の箒毛を束ねると共に筒状体に収納した箒毛束を柄の先端に取り付けて強度補強を施した強度補強箒において、前記筒状体が揺動自在のコイルスプリングであり、前記コイルスプリングの少なくとも一部が前記箒毛束に密着している構成であることを特徴とする強度補強箒。
【手続補正３】
【補正対象書類名】明細書
【補正対象項目名】００１２
【補正方法】変更
【補正の内容】
【００１２】
２．コイルスプリングの頭部は、隣接するコイル部が密着しており、他の部分は離開したコイル部であることを特徴とする前記１に記載の強度補強箒。
【手続補正４】
【補正対象書類名】明細書
【補正対象項目名】００１４
【補正方法】削除
【補正の内容】
【手続補正５】
【補正対象書類名】明細書
【補正対象項目名】００１５
【補正方法】変更
【補正の内容】
【００１５】
４．前記１〜３のいずれかに記載の強度補強箒を用い、該強度補強箒の複数本の箒毛を束ねた箒毛束が、これを囲むコイルスプリングによって揺動しながら、ゴミを掃き寄せることを特徴とする清掃方法。
【手続補正書】
【提出日】平成18年8月9日(2006.8.9)
【手続補正１】
【補正対象書類名】明細書
【補正対象項目名】発明の名称
【補正方法】変更
【補正の内容】
【発明の名称】電圧形インバータ及びその制御方法
【手続補正２】
【補正対象書類名】特許請求の範囲
【補正対象項目名】全文
【補正方法】変更
【補正の内容】
【特許請求の範囲】
【請求項１】
電圧の大きさ、周波数および位相の制御可能なパワー半導体素子から構成されるＰＷＭ方式の電圧形インバータの制御方法において、
運転前に前記インバータの各相電流の極性毎に電圧誤差情報を記憶しておき、運転時に、前記電圧誤差情報を読み出し、電圧指令値に、あるいはＰＷＭ指令信号のパルス幅に補償して、電圧誤差を補正するようにしたことを特徴とする電圧形インバータの制御方法。
【請求項２】
運転前に、交流電動機に電圧形インバータを構成するパワー半導体素子の２相の電流値が等しく、かつ、他１相の電流値は０となるべき位相で、直流電圧指令を与えて駆動し、２相の電流値が等しくなるように、あるいは、１相の電流値が０になるように電圧補正値を変更し、変更された電圧補正値を基にして運転時に用いる電圧誤差情報を演算、記憶することを特徴とする請求項１記載の電圧形インバータの制御方法。
【請求項３】
運転前に、交流電動機に電圧形インバータを構成するパワー半導体素子の２相の電流値が等しく、かつ、他１相の電流値は前記２相の合計値となるべき位相で、直流電圧指令を与えて駆動し、２相の電流値が等しくなるように、あるいは、１相に他相の２倍の電流が流れるように電圧補正値を変更し、このときの電圧補正値を基にして運転時に用いる電圧誤差情報を演算、記憶することを特徴とする請求項１記載の電圧形インバータの制御方法。
【請求項４】
運転前に、交流電動機に電圧形インバータを構成するパワー半導体素子の各相の電流が所定の条件となる位相で、直流電圧指令を与えて駆動し、前記所定の条件の電流値となるように電圧補正値を変更し、このときの電圧補正値を基にして運転時に用いる電圧誤差情報を演算、記憶することを特徴とする請求項１記載の電圧形インバータの制御方法。
【請求項５】
運転前に、請求項２〜４記載のいずれかの条件・方法を異なる位相で複数回繰り返し実施し、運転時に用いる電圧誤差情報を演算、記憶することを特徴とする請求項１記載の電圧形インバータの制御方法。
【請求項６】
電圧の大きさ、周波数および位相の制御可能なパワー半導体素子から構成されるＰＷＭ方式の電圧形インバータにおいて、
運転前に前記インバータの各相電流の極性毎に電圧誤差情報を記憶しておき、運転時に、前記電圧誤差情報を読み出し、電圧指令値に、あるいはＰＷＭ指令信号のパルス幅に補償して、電圧誤差を補正するようにしたことを特徴とする電圧形インバータ。
【請求項７】
運転前に、交流電動機に電圧形インバータを構成するパワー半導体素子の２相の電流値が等しく、かつ、他１相の電流値は０となるべき位相で、直流電圧指令を与えて駆動し、２相の電流値が等しくなるように、あるいは、１相の電流値が０になるように電圧補正値を変更し、変更された電圧補正値を基にして運転時に用いる電圧誤差情報を演算、記憶することを特徴とする請求項６記載の電圧形インバータ。
【請求項８】
運転前に、交流電動機に電圧形インバータを構成するパワー半導体素子の２相の電流値が等しく、かつ、他１相の電流値は前記２相の合計値となるべき位相で、直流電圧指令を与えて駆動し、２相の電流値が等しくなるように、あるいは、１相に他相の２倍の電流が流れるように電圧補正値を変更し、このときの電圧補正値を基にして運転時に用いる電圧誤差情報を演算、記憶することを特徴とする請求項６記載の電圧形インバータ。
【請求項９】
運転前に、交流電動機に電圧形インバータを構成するパワー半導体素子の各相の電流が所定の条件となる位相で、直流電圧指令を与えて駆動し、前記所定の条件の電流値となるように電圧補正値を変更し、このときの電圧補正値を基にして運転時に用いる電圧誤差情報を演算、記憶することを特徴とする請求項６記載の電圧形インバータ。
【手続補正書】
【提出日】平成18年8月2日(2006.8.2)
【手続補正１】
【補正対象書類名】明細書
【補正対象項目名】０００４
【補正方法】変更
【補正の内容】
【０００４】
前述の弛み防止部材等を用いて通信ケーブルを管路内の上部に敷設した後に、管路内のメンテナンスを行うために、弛み防止部材を管路の円周方向に回動移動させたり、取り外したりすることが稀にある。ところが、弛み防止部材は、略円柱状のバネ板が弾性復元力によって管路内周面に密着しているので、内壁面止着部を管路内周面から浮かせて移動させることは容易ではない。
【手続補正書】
【提出日】平成18年1月16日(2006.1.16)
【手続補正１】
【補正対象書類名】特許請求の範囲
【補正対象項目名】全文
【補正方法】変更
【補正の内容】
【特許請求の範囲】
【請求項１】
電動送風機を内蔵した掃除機本体と、該掃除機本体に一端が接続された流路ホースと、該流路ホースの他端に一端が接続された流路管と、該流路管の他端に接続された吸込口体とを備え、該吸込口体から吸気して前記流路管、流路ホースを通り、前記掃除機本体にて塵埃を除去した後、前記流路ホース、流路管を通って排気する電気掃除機において、
前記流路管を、吸気流路管と、該吸気流路管に自在に着脱する排気流路管とによって構成したことを特徴とする電気掃除機。
【請求項２】
前記排気流路管を、吸気流路管に対して伸縮自在に着脱できるようにしたことを特徴とする請求項１記載の電気掃除機。
【請求項３】
前記流路ホースを二重構造とし、排気流路ホースを吸気流路ホースの内部に配設したことを特徴とする請求項１または２記載の電気掃除機。
【請求項４】
前記排気流路管を吸気流路管からはずした際に、前記排気流路管からの排気の噴出量を低減する手段を備えたことを特徴とする請求項１、２、３のいずれかに記載の電気掃除機。
【請求項５】
排気流路管の先端にブラシを備えたことを特徴とする請求項１、２、３、４のいずれかに記載の電気掃除機。
【請求項６】
前記排気流路管を吸気流路管に着脱自在に固定するための固定手段を備えたことを特徴とする請求項１、２、３、４、５のいずれかに記載の電気掃除機。
【請求項７】
前記吸込口体に、吸気流路管に連通する吸気室と、排気流路管に連通する排気室とを設けたことを特徴とする請求項１、２、３、４、５、６のいずれかに記載の電気掃除機。
【手続補正２】
【補正対象書類名】明細書
【補正対象項目名】０００５
【補正方法】変更
【補正の内容】
【０００５】
本発明に係る電気掃除機は、電動送風機を内蔵した掃除機本体と、該掃除機本体に一端が接続された流路ホースと、該流路ホースの他端に一端が接続された流路管と、該流路管の他端に接続された吸込口体とを備え、該吸込口体から吸気して前記流路管、流路ホースを通り、前記掃除機本体にて塵埃を除去した後、前記流路ホース、流路管を通って排気する電気掃除機であって、前記流路管を、吸気流路管と該吸気流路管に自在に着脱する排気流路管とによって構成した。
【手続補正書】
【提出日】平成18年8月7日(2006.8.7)
【手続補正１】
【補正対象書類名】特許請求の範囲
【補正対象項目名】全文
【補正方法】変更
【補正の内容】
【特許請求の範囲】
【請求項１】
表面にジオラマを形成するレイアウトパネルを運搬するための箱状の収納ケースであって、
前記収納ケースの底面を構成する底板と、
前記レイアウトパネルの表面が前記収納ケースの内側を向き、前記レイアウトパネルの裏面が前記収納ケースの一側面を構成するように前記パネルを前記底板に立てた状態に保持するレイアウトパネル保持手段と、
を有し、
前記レイアウトパネルをはずした状態で、前記底板を下にして自立する
レイアウトパネル収納ケース。
【請求項２】
前記レイアウトパネル保持手段は、前記一側面に直交して隣接する他の側面を構成する、端面に前記レイアウトパネル方向に突出する前記レイアウトパネルの裏面の最底部とほぼ同じ高さとなる突起である側方凸部を有する横板である
請求項１に記載のレイアウトパネル収納ケース。
【請求項３】
前記レイアウトパネル保持手段は、２枚のレイアウトパネルの表面が互いに向き合うように保持する請求項1又は２に記載のレイアウトパネル収納ケース。
【請求項４】
前記レイアウトパネルを取り付けた前記レイアウトパネル収納ケースであって、前記レイアウトパネルは内部が中空であり、かつ、裏面を構成する裏板が着脱自在に構成される請求項１から３のいずれか１項に記載のレイアウトパネル収納ケース。
【手続補正２】
【補正対象書類名】明細書
【補正対象項目名】０００４
【補正方法】変更
【補正の内容】
【０００４】
上記課題を解決するために、本発明は次のような構成を有する。
請求項１に記載の発明は、表面にジオラマを形成するレイアウトパネルを運搬するための箱状の収納ケースであり、前記収納ケースの底面を構成する底板と、前記レイアウトパネルの表面が前記収納ケースの内側を向き、前記レイアウトパネルの裏面が前記収納ケースの一側面を構成するように前記パネルを前記底板に立てた状態に保持するレイアウトパネル保持手段とを有し、前記レイアウトパネルをはずした状態で、前記底板を下にして自立する。
請求項２に記載の発明は、前記レイアウトパネル保持手段を、前記一側面に直交して隣接する他の側面を構成する、端面に前記レイアウトパネル方向に突出する前記レイアウトパネルの裏面の最底部とほぼ同じ高さとなる突起である側方凸部を有する横板でとしたものである。
請求項３に記載の発明は、前記レイアウトパネル保持手段は、２枚のレイアウトパネルの表面が互いに向き合うように保持する。
請求項４に記載の発明は、前記レイアウトパネルを取り付けた前記レイアウトパネル収納ケースであり、このレイアウトパネルは内部が中空であり、かつ、裏面を構成する裏板が着脱自在に構成される。
【手続補正３】
【補正対象書類名】明細書
【補正対象項目名】０００５
【補正方法】変更
【補正の内容】
【０００５】
請求項１に記載の発明は、レイアウトパネルがジオラマが形成される表面が内側を向くように底板に立てた状態に保持されるので、ジオラマの破損等を生じさせることなく、レイアウトパネルを収納し、また、運搬することができる。
請求項２に記載の発明は、レイアウトパネル収納ケースを倒した際に、側方凸部によりレイアウトパネルへの衝撃を緩和することができる。
請求項３に記載の発明は、２枚のレイアウトパネルの表面が互いに向き合うように保持されるので、内側のジオラマは互いのレイアウトパネルの裏面によって外部からの接触から隔離されるのでより確実にジオラマの破損等を防ぐことができる。
請求項４に記載の発明は、レイアウトパネルを含めて箱状に構成されるレイアウトパネル収納ケースにおいて、収納ケースの側面を構成するレイアウトパネルの裏板が着脱でき、かつ、その内部が中空であるので、レイアウトパネルの内部に電気配線を通すことにより、収納状態のレイアウトパネルの配線処理を行えばレイアウトパネルが立った状態であるので、きわめて容易に作業を行うことが可能となる。
【手続補正書】
【提出日】平成18年7月31日(2006.7.31)
【手続補正１】
【補正対象書類名】特許請求の範囲
【補正対象項目名】請求項２
【補正方法】変更
【補正の内容】
【請求項２】
歌留多ゲームをコンピュータに実行させるプログラムであって、
データ記憶手段に記憶された文字列を含む複数のカードデータから、画像表示手段に表示されるカード画像が所定枚数となるようにカードデータを選択する制御をデータ処理手段に実行させる第１のステップと、
前記データ記憶手段に記憶された各カード画像に共通する基本カード画像に、前記選択されたカードデータに含まれる前記文字列のうちから一部の文字を抽出して合成し前記カード画像を生成して、前記画像表示手段に表示する制御を前記データ処理手段に実行させる第２のステップと、
前記所定枚数のカード画像に対応するカードデータの中から１つのカードデータを選択し、該カードデータに含まれる前記文字列を、前記画像表示手段に表示または音声出力手段から音声として出力する制御を前記データ処理手段に実行させる第３のステップと、
該第２のステップにより生成された前記所定枚数のカード画像から、操作入力手段から入力された入力信号によって１枚のカード画像を選択する制御を前記データ処理手段に実行させる第４のステップと、
該第３のステップで出力された前記文字列と、前記第４のステップにより選択されたカード画像とが対応しているか否かを判定する制御を前記データ処理手段に実行させる第５のステップと、
を有し、
前記第１のステップは、前記第２のステップにおいて生成されるカード画像に含まれる前記一部の文字と、選択対象となるカードデータから抽出される一部の文字とが互いに一致しないまたは一方が他方に含まれないカードデータを少なくとも選択する制御を前記データ処理手段に実行させるステップを、
更に含むことを特徴とする歌留多ゲームプログラム。
【手続補正２】
【補正対象書類名】明細書
【補正対象項目名】０００５
【補正方法】変更
【補正の内容】
【０００５】
本発明は、歌留多ゲームをコンピュータに実行させるプログラムであって、データ記憶手段に記憶された文字列を含む複数のカードデータから、画像表示手段に表示されるカード画像が所定枚数となるようにカードデータを選択する制御をデータ処理手段に実行させる第１のステップと、前記データ記憶手段に記憶された各カード画像に共通する基本カード画像に、前記選択されたカードデータに含まれる前記文字列のうちから一部の文字を抽出して合成し前記カード画像を生成して、前記画像表示手段に表示する制御を前記データ処理手段に実行させる第２のステップと、前記所定枚数のカード画像に対応するカードデータの中から１つのカードデータを選択し、該カードデータに含まれる前記文字列を、前記画像表示手段に表示または音声出力手段から音声として出力する制御を前記データ処理手段に実行させる第３のステップと、該第２のステップにより生成された前記所定枚数のカード画像から、操作入力手段から入力された入力信号によって１枚のカード画像を選択する制御を前記データ処理手段に実行させる第４のステップと、該第３のステップで出力された前記文字列と、前記第４のステップにより選択されたカード画像とが対応しているか否かを判定する制御を前記データ処理手段に実行させる第５のステップとを有し、前記第１のステップは、前記第２のステップにおいて生成されるカード画像に含まれる前記一部の文字と、選択対象となるカードデータから抽出される一部の文字とが互いに一致しないまたは一方が他方に含まれないカードデータを少なくとも選択する制御を前記データ処理手段に実行させるステップを更に含む。
これによって、一部の文字のみの表示で確実にカードを識別し得る。
【手続補正３】
【補正対象書類名】明細書
【補正対象項目名】００３０
【補正方法】変更
【補正の内容】
【００３０】
なお記憶媒体としてはカートリッジ、フロッピーディスクその他を採用でき、またフロッピーディスク等に起動用プログラムを格納しておけば、ブートロム３０１０を省略し得る。
【手続補正４】
【補正対象書類名】明細書
【補正対象項目名】００３１
【補正方法】変更
【補正の内容】
【００３１】
ディスプレイモニタ３０８０にはカラーＬＣＤ、ＣＲＴ、プラズマディスプレイ、ＤＬＰ方式プロジェクタ等任意の表示手段を採用し得る。
【手続補正５】
【補正対象書類名】明細書
【補正対象項目名】００３３
【補正方法】変更
【補正の内容】
【００３３】
ゲーム装置において本発明に係る歌留多ゲームプログラムを実行する際には、歌留多ゲームプログラムの各ステップをゲーム装置に実行させるためプログラムコードを含むコンピュータ実行可能なプログラムを、ゲーム装置に読み込ませる。歌留多ゲームプログラムはゲーム装置内のＲＯＭ、記憶媒体から読み込まれ、あるいはネットワークを通じてサーバー１１００等から読み込まれる。
【手続補正６】
【補正対象書類名】明細書
【補正対象項目名】００３５
【補正方法】変更
【補正の内容】
【００３５】
図３において、歌留多ゲームの処理は「対戦モード」、「１人遊びモード」、「閲覧モード」の３つのモードに分かれ、最初のステップＳ３０１において、これらモードのいずれかを選択する。モード選択時には図７の画面が表示される。
【手続補正７】
【補正対象書類名】明細書
【補正対象項目名】００５６
【補正方法】変更
【補正の内容】
【００５６】
カード選択に際しては図１３の画面が表示され、選択するカードの上に手の形状のカーソルＣ１３０１が現れる。
【手続補正８】
【補正対象書類名】明細書
【補正対象項目名】００５７
【補正方法】変更
【補正の内容】
【００５７】
図１３の画面には、取り札のカードを表示する領域Ａ１３０１、読み札のカードの内容を表示する領域Ａ１３０２、遊戯者および対戦相手の取得枚数を表示する領域Ａ１３０３、対戦ゲームを一時休止する休憩ボタンＣ１３０２が設けられ、カーソルｃ１３０１により選択することが可能である。
【手続補正書】
【提出日】平成18年8月16日(2006.8.16)
【手続補正１】
【補正対象書類名】特許請求の範囲
【補正対象項目名】全文
【補正方法】変更
【補正の内容】
【特許請求の範囲】
【請求項１】
検体から測定用試料を調製する測定用試料調製手段と、測定用試料中の各粒子から光学的情報を検出する検出手段と、検出された光学的情報に基づいて試料中の発酵菌及び／又は非発酵菌を検出する分析手段を有する細菌分析装置。
【請求項２】
前記測定用試料調製手段は、検体を酸性条件下で処理して測定用試料を調製する請求項１に記載の細菌分析装置。
【請求項３】
前記測定用試料調製手段は、酸性条件下で処理された検体に色素による染色を施す請求項２に記載の細菌分析装置。
【請求項４】
前記測定用試料調製手段は、酸性の溶液と検体とを混合して測定用試料を調製する請求項１から３のいずれか一項に記載の細菌分析装置。
【請求項５】
前記測定用試料調製手段は、酸性の溶液と検体とを混合し、得られた混合液と色素を含む溶液とを混合して測定用試料を調製する請求項１から３のいずれか一項に記載の細菌分析装置。
【請求項６】
前記色素が蛍光色素である請求項３又は５に記載の細菌分析装置。
【請求項７】
前記検出手段により検出される光学的情報が蛍光を含む請求項１から６のいずれか一項に記載の細菌分析装置。
【請求項８】
前記分析手段は、検出された発酵菌及び／又は非発酵菌を計数する計数手段を有する請求項１から７のいずれか一項に記載の細菌分析装置。
【請求項９】
前記分析手段は、発酵菌及び／又は非発酵菌の計数結果に基づいて試料中の細菌の種類が発酵菌であるか非発酵菌であるかを判別する請求項８に記載の細菌分析装置。
【請求項１０】
検体から測定用試料を調製し、調製した測定用試料に含まれる各粒子から光学的情報を検出し、検出された光学的情報に基づいて試料中の発酵菌及び／又は非発酵菌を検出する細菌分析方法。
【請求項１１】
さらに、検出された発酵菌及び／又は非発酵菌を計数する請求項１０に記載の細菌分析方法。
【請求項１２】
さらに、発酵菌及び／又は非発酵菌の計数結果に基づいて試料中の細菌の種類が発酵菌であるか非発酵菌であるかを判別する請求項１２に記載の細菌分析方法。
【手続補正２】
【補正対象書類名】明細書
【補正対象項目名】００１１
【補正方法】変更
【補正の内容】
【００１１】
上記のような技術を用いると、自動的に比較的短時間で検体中の細菌を検出し、計数できるが、このような方法において、発酵菌と非発酵菌を区別して発酵菌及び／又は非発酵菌を検出する方法は提案されていない。本発明はこのような事情を考慮してなされたもので、検体中の発酵菌と非発酵菌を区別して迅速に発酵菌及び／又は非発酵菌を検出する装置および方法を提供することを目的とする。
【手続補正３】
【補正対象書類名】明細書
【補正対象項目名】００１２
【補正方法】変更
【補正の内容】
【００１２】
上記課題に鑑み本発明は、検体から測定用試料を調製する測定用試料調製手段と、測定用試料中の各粒子から光学的情報を検出する検出手段と、検出された光学的情報に基づいて試料中の発酵菌及び／又は非発酵菌を検出する分析手段を有する細菌分析装置を提供する。
【手続補正４】
【補正対象書類名】明細書
【補正対象項目名】００１３
【補正方法】削除
【補正の内容】
【手続補正５】
【補正対象書類名】明細書
【補正対象項目名】００１４
【補正方法】変更
【補正の内容】
【００１４】
また、本発明は、検体から測定用試料を調製し、調製した測定用試料に含まれる各粒子から光学的情報を検出し、検出された光学的情報に基づいて試料中の発酵菌及び／又は非発酵菌を検出する細菌分析方法を提供する。
【手続補正６】
【補正対象書類名】明細書
【補正対象項目名】００１５
【補正方法】削除
【補正の内容】
【手続補正７】
【補正対象書類名】明細書
【補正対象項目名】００１６
【補正方法】変更
【補正の内容】
【００１６】
この発明では、検体中の発酵菌と非発酵菌を区別して迅速に発酵菌及び／又は非発酵菌を検出することができる。前記に従来技術として示した簡易キットを用いる方法では、細菌が糖を分解するか否かを調べるための培養を必要とするため、菌液をウェルに添加してから結果が得られるまでに４時間から２４時間を要する。しかし、本発明では細菌が糖を分解するか否かを調べるための培養が不要であるため、調製した菌液を検体として測定を行い、すぐに発酵菌と非発酵菌の区別ができる。
【手続補正８】
【補正対象書類名】明細書
【補正対象項目名】００１７
【補正方法】変更
【補正の内容】
【００１７】
さらに、本発明では前記のような菌液を調製しなくても、患者から採取した尿や血液を検体としてそのまま測定に用いることが可能である。これより、検体中の発酵菌と非発酵菌を区別して迅速に発酵菌及び／又は非発酵菌を検出することができる。
【手続補正書】
【提出日】平成18年8月10日(2006.8.10)
【手続補正１】
【補正対象書類名】特許請求の範囲
【補正対象項目名】全文
【補正方法】変更
【補正の内容】
【特許請求の範囲】
【請求項１】
絵柄を表示する絵柄表示装置と、
作動条件成立を検出する作動検出手段と、
作動検出手段による作動条件成立を示す検出結果に基づいて、前記絵柄の変動表示を開始させ、予め設定された変動態様に従って変動表示させるとともに予め設定された変動時間の経過後に前記変動表示を終了させるように前記絵柄表示装置を表示制御する表示制御手段と
を備えた遊技機において、
遊技者による特定の操作を検出する操作検出手段と、
前記操作検出手段により遊技者による特定の操作が検出されると、その検出された操作回数に応じて前記変動表示の終了時期を繰り上げる終了時期変更手段と
を備えたことを特徴とする遊技機。
【請求項２】
前記終了時期変更手段は、前記操作回数が多い程、前記変動表示の終了時期の繰り上げ度合いが大きくなるように当該終了時期を決定するものであることを特徴とする請求項１に記載の遊技機。
【請求項３】
絵柄を表示する絵柄表示装置と、
作動条件成立を検出する作動検出手段と、
作動検出手段による作動条件成立を示す検出結果に基づいて、前記絵柄の変動表示を開始させ、予め設定された変動態様に従って変動表示させるとともに予め設定された変動時間の経過後に前記変動表示を終了させるように前記絵柄表示装置を表示制御する表示制御手段と
を備えた遊技機において、
遊技者による特定の操作を検出する操作検出手段と、
前記操作検出手段により遊技者による特定の操作が検出されると、その検出された操作回数に応じた変動態様によって変動表示させるように前記絵柄表示装置を表示制御する変動表示変更手段と
を備えたことを特徴とする遊技機。
【請求項４】
前記変動表示変更手段は、前記操作回数が多い程、変動表示の終了時期の繰り上げ度合いが大きくなる変動態様にて前記絵柄表示装置を表示制御するものであることを特徴とする請求項３に記載の遊技機。
【請求項５】
絵柄を表示する絵柄表示装置と、
作動条件成立を検出する作動検出手段と、
作動検出手段による作動条件成立を示す検出結果に基づいて、前記絵柄の変動表示を開始させ、予め設定された変動態様に従って変動表示させるとともに予め設定された変動時間の経過後に前記変動表示を終了させるように前記絵柄表示装置を表示制御する表示制御手段と
を備えた遊技機において、
前記変動態様として、変動表示の開始後にリーチ前変動を行い、その後リーチ変動を行い、最後に停止表示を行うことにより変動表示を停止させる特定変動態様が設定されており、
さらに、遊技者による特定の操作を検出する操作検出手段と、
前記操作検出手段により遊技者による特定の操作が検出されると、その検出された操作回数に応じて前記変動表示の終了時期を繰り上げる終了時期変更手段と
を備え、
前記終了時期変更手段は、特定変動態様による変動表示中に前記操作検出手段により遊技者による初回の特定の操作が検出されるとリーチ前変動の少なくとも一部を省略するように前記特定変動態様による変動表示の終了時期を繰り上げるものであることを特徴とする遊技機。
【請求項６】
絵柄を表示する絵柄表示装置と、
作動条件成立を検出する作動検出手段と、
作動検出手段による作動条件成立を示す検出結果に基づいて、前記絵柄の変動表示を開始させ、予め設定された変動態様に従って変動表示させるとともに予め設定された変動時間の経過後に前記変動表示を終了させるように前記絵柄表示装置を表示制御する表示制御手段と
を備えた遊技機において、
前記変動態様として、変動表示の開始後にリーチ前変動を行い、その後リーチ変動を行い、最後に停止表示を行うことにより変動表示を停止させる特定変動態様が設定されており、
さらに、遊技者による特定の操作を検出する操作検出手段と、
特定変動態様による変動表示中に前記操作検出手段により遊技者による特定の操作が検出されるとリーチ前変動の少なくとも一部を省略し、同一変動表示回において再度操作が検出されるとリーチ変動の最終変動部分より前の部分を省略し、さらに同一変動表示回において再度操作が検出されると前記最終変動部分をも省略する省略手段と
を備えたことを特徴とする遊技機。
【請求項７】
前記操作回数に加え前記特定の操作のタイミングに応じて、終了時期変更手段は前記変動表示の終了時期を繰り上げるように構成されていることを特徴とする請求項１又は請求項２に記載の遊技機。また、変動表示変更手段は前記操作回数に加え前記特定の操作のタイミングに応じた変動態様によって変動表示させるように前記絵柄表示装置を表示制御することを特徴とする請求項３又は請求項4に記載の遊技機。
【手続補正書】
【提出日】平成18年8月10日(2006.8.10)
【手続補正１】
【補正対象書類名】特許請求の範囲
【補正対象項目名】全文
【補正方法】変更
【補正の内容】
【特許請求の範囲】
【請求項１】
絵柄を表示する絵柄表示装置と、
作動条件成立を検出する作動検出手段と、
作動検出手段による作動条件成立を示す検出結果に基づいて、前記絵柄の変動表示を開始させ、予め設定された変動態様に従って変動表示させた後にその変動表示を終了させるように前記絵柄表示装置を表示制御する表示制御手段と
を備えた遊技機において、
前記変動態様と関連付けられかつ当該変動態様よりも変動時間の短い予備変動態様を記憶した記憶手段と、
変動時間短縮条件が成立したか否かを判断する判断手段と、
前記判断手段により条件成立と判断されると、変動中の変動態様に代えて前記記憶手段に記憶された予備変動態様を読み出し、前記絵柄表示装置を当該予備変動態様に従って変動表示させるように表示制御する変動態様切換手段と
を備えたことを特徴とする遊技機。
【請求項２】
前記変動態様は複数種用意されており、前記記憶手段には前記予備変動態様が各変動態様に対応してそれぞれ記憶されていることを特徴とする請求項１に記載の遊技機。
【請求項３】
前記記憶手段には１の変動態様に対応して複数種の予備変動態様が記憶されており、前記変動態様切換手段は前記判断手段により条件成立となるタイミングに応じて前記記憶手段から読み出す予備変動態様を選択するものであることを特徴とする請求項１に記載の遊技機。
【請求項４】
前記記憶手段に記憶される前記予備変動態様は、それに対応する変動態様中、他種の変動態様と比して特徴的な表示部分若しくは表示上の遊技価値を左右する表示部分を残した態様又はそれら表示部分を察知させる態様を含む新規変動態様であることを特徴とする請求項１乃至請求項３のいずれかに記載の遊技機。
【請求項５】
前記作動検出手段は遊技領域に形成された作動口への入球を検出する入球検出手段を含み、前記作動条件は該入球検出手段による入球検出を条件の一つとするものであることを特徴とする請求項１乃至請求項４のいずれかに記載の遊技機。
【請求項６】
遊技者により操作される操作部材と、その操作状況を検出する操作検出手段とを備え、前記変動時間短縮条件の一条件として当該操作検出手段による操作検出を含めたことを特徴とする請求項１乃至請求項５のいずれかに記載の遊技機。
【請求項７】
前記変動中における時間短縮条件の不成立区間を設定したことを特徴とする請求項１乃至請求項６のいずれかに記載の遊技機。
【手続補正書】
【提出日】平成18年8月10日(2006.8.10)
【手続補正１】
【補正対象書類名】特許請求の範囲
【補正対象項目名】全文
【補正方法】変更
【補正の内容】
【特許請求の範囲】
【請求項１】
絵柄を表示する絵柄表示装置と、
遊技領域中の特定箇所への入球を検出する入球検出手段と、
前記入球検出手段の検出に基づいて、前記絵柄の変動表示を開始させ、予め設定された変動時間の経過後に前記変動表示を終了させるように前記絵柄表示装置を表示制御する表示制御手段と
を備えた遊技機において、
前記特定箇所への入球可能性が相対的に低い第１状態と高い第２状態とに切り換える切換手段と、
前記切換手段により第１状態から第２状態と切り換えられたこと、又は第１状態から第２状態に切り換える条件が整ったことを判断する判断手段と、
前記判断手段により第２状態に切り換えられたと判断され又は第２状態に切り換えられる条件が整ったと判断されると、その判断結果に基づいて又はその判断結果と他の条件成立との組合せ結果に基づいて、前記変動時間経過前に前記変動表示を終了させる終了時期変更手段と
を備えたことを特徴とする遊技機。
【請求項２】
前記入球検出手段の検出に基づいて、通常遊技よりも遊技者に有利な特別遊技の抽選を実行する特別遊技抽選手段を備え、該特別遊技抽選手段の抽選の結果が当選の場合には特別遊技を発生させるように構成したことを特徴とする請求項１に記載の遊技機。
【請求項３】
遊技領域には作動口を設け、前記入球検出手段はその作動口への入球を検出するものであり、前記切換手段は、遊技領域を落下する遊技球を作動口へ導く球流路パターン数を増大させ、又は当該球流路の幅を拡大させることにより、前記第２状態に切り換えるものであることを特徴とする請求項１又は請求項２に記載の遊技機。
【請求項４】
前記切換手段を第１状態から第２状態に切り換えるか否かの抽選を行う切換抽選手段を備え、その抽選結果に基づいて前記第１状態から第２状態に切り換える条件が整ったと判断されるものであることを特徴とする請求項１乃至請求項３のいずれかに記載の遊技機。
【請求項５】
前記入球検出手段によって入球検出されたときに先の入球検出に基づく絵柄変動が終了していない場合には前記入球検出に基づく絵柄変動を一旦留保する留保手段を備え、該留保手段による留保があること又は留保数が留保限界数よりも少ない一定数以上であることを前記他の条件に含めたことを特徴とする請求項１乃至請求項４のいずれかに記載の遊技機。
【請求項６】
前記切換手段が第２状態となる実質的期間が相対的に長い第１モードと短い第２モードとのいずれかを選択するモード選択手段を備え、該モード選択手段により第２モードが選択されていることを前記他の条件として設定したことを特徴とする請求項１乃至請求項５のいずれかに記載の遊技機。
【請求項７】
遊技を統括管理するメイン制御手段と、メイン制御手段の配下で前記絵柄表示装置を表示制御するサブ制御手段とを備え、
メイン制御手段は前記判断手段を含み、
前記表示制御手段は、入球検出手段の検出に基づいて少なくとも絵柄の変動開始及び予め設定された変動時間を指令するメイン制御手段の機能と、変動開始指令に基づいて絵柄表示装置に絵柄の変動表示を開始させるとともに変動時間指令に基づいてその変動時間経過後に絵柄の変動表示を終了させるサブ制御手段の機能とから構成され、
前記終了変更制御手段は、終了時期変更指令を行うメイン制御手段の機能と、終了時期変更指令を受けて絵柄の変動表示を当該終了時期変更指令に従った時期に終了するように表示制御するサブ制御手段の機能とから構成されていることを特徴とする請求項１乃至請求項６のいずれかに記載の遊技機。
【手続補正書】
【提出日】平成18年8月9日(2006.8.9)
【手続補正１】
【補正対象書類名】特許請求の範囲
【補正対象項目名】全文
【補正方法】変更
【補正の内容】
【特許請求の範囲】
【請求項１】
入球口への入球を検出する複数の入球検出手段を備え、入球口への入球を検出すると入球信号が前記入球検出手段から出力される遊技機において、
前記入球検出手段からの入球信号を入力するとともに、該入球信号が複数同時に入力されることを監視する監視手段を設けたことを特徴とする遊技機。
【請求項２】
入球口への入球を検出する複数の入球検出手段を備え、入球口への入球を検出すると入球信号が前記入球検出手段から出力される遊技機において、
前記入球検出手段からの入球信号を入力して監視する監視手段を備え、該監視手段は前記入球信号を複数同時に入力した時に所定の監視出力信号を出力することを特徴とする遊技機。
【請求項３】
遊技領域の略中央部に遊技装置を備え、該遊技装置の左側及び右側に前記各入球口を分散させて配置させたことを特徴とする請求項１又は２記載の遊技機。
【請求項４】
前記各入球口の少なくともいずれかは、通常状態とその通常状態よりも遊技球の入球が容易な開放状態とが切り替えられる開閉部材を有していることを特徴とする請求項１乃至３のいずれかに記載の遊技機。
【請求項５】
前記監視手段は前記入球信号が複数同時に入力されることが所定回数以上繰り返し行われたことを判定できるように構成したことを特徴とする請求項１乃至５のいずれかに記載の遊技機。
【手続補正書】
【提出日】平成18年8月8日(2006.8.8)
【手続補正１】
【補正対象書類名】特許請求の範囲
【補正対象項目名】全文
【補正方法】変更
【補正の内容】
【特許請求の範囲】
【請求項１】
演出始動口を有する遊技球導入装置と、
所定の球通過部を遊技球が通過することで前記遊技球導入装置への遊技球の導入を可能又は容易とする導入補助装置と、
前記遊技球導入装置に導入された遊技球が更に前記演出始動口を通過することを一条件に所定の遊技演出を行う遊技演出手段と、を備えた遊技機において、
前記遊技演出手段により遊技演出が行われている最中に前記球通過部を遊技球が通過した際その遊技球通過を検出し、その時の遊技演出の時間を短縮する演出時間短縮化手段を備えたことを特徴とする遊技機。
【請求項２】
演出始動口を有する遊技球導入装置と、
所定の球通過部を遊技球が通過することで前記遊技球導入装置への遊技球の導入を可能又は容易とする導入補助装置と、
前記遊技球導入装置に導入された遊技球が更に前記演出始動口を通過することを一条件に所定の遊技演出を行う遊技演出手段と、
通常遊技状態とは異なる所定遊技状態において前記球通過部を遊技球が通過すると前記導入補助装置を通常状態よりも一層遊技球導入装置に遊技球を導入しやすい状態とする状態変更手段と、を備えた遊技機において、
前記所定遊技状態で前記遊技演出手段により遊技演出が行われている最中に球通過部を遊技球が通過した際その遊技球通過を検出し、その時の遊技演出の時間を短縮する演出時間短縮化手段を備えたことを特徴とする遊技機。
【請求項３】
前記所定遊技状態下で、前記球通過部を遊技球が通過する回数をカウントするとともに、そのカウント数が所定値になるまでの間、前記球通過部を遊技球が通過すると前記導入補助装置を通常状態よりも一層遊技球導入装置に遊技球を導入しやすい状態とすることを特徴とする請求項２に記載の遊技機。
【請求項４】
前記球通過部の遊技球通過に伴い前記遊技球導入装置が遊技球導入を可能又は容易な状態とされる時、前記演出時間短縮化手段は、前記球通過部の遊技球通過の検出に代えて、遊技球導入装置が動作されることに合わせて遊技演出時間の短縮化を実施することを特徴とする請求項１乃至３のいずれかに記載の遊技機。
【請求項５】
演出始動口を有する遊技球導入装置と、
所定の球通過部を遊技球が通過することで一時的に開放状態となり、前記遊技球導入装置への遊技球の導入を可能又は容易とする開閉装置と、
該開閉装置の開放に伴い前記遊技球導入装置に導入された遊技球が更に前記演出始動口を通過することを一条件に所定の遊技演出を行う遊技演出手段と、を備えた遊技機において、
前記遊技演出手段により遊技演出が行われている最中に前記球通過部を遊技球が通過した際その遊技球通過を検出し、その時の遊技演出の時間を短縮する演出時間短縮化手段を備えたことを特徴とする遊技機。
【請求項６】
演出始動口を有する遊技球導入装置と、
所定の球通過部を遊技球が通過することで所定時間開放状態となり、前記遊技球導入装置への遊技球の導入を可能又は容易とする開閉装置と、
該開閉装置の開放に伴い前記遊技球導入装置に導入された遊技球が更に前記演出始動口を通過することを一条件に所定の遊技演出を行う遊技演出手段と、
通常遊技状態とは異なる所定遊技状態において前記球通過部を遊技球が通過すると通常時よりも延長した開放時間で前記開閉装置を開放状態とする開放延長化手段と、を備えた遊技機において、
前記所定遊技状態で前記遊技演出手段により遊技演出が行われている最中に球通過部を遊技球が通過した際その遊技球通過を検出し、その時の遊技演出の時間を短縮する演出時間短縮化手段を備えたことを特徴とする遊技機。
【請求項７】
前記所定遊技状態下で、前記球通過部を遊技球が通過する回数をカウントするとともに、そのカウント数が所定値になるまでの間、前記球通過部を遊技球が通過すると通常時よりも延長した開放時間で前記開閉装置を開放状態とすることを特徴とする請求項６に記載の遊技機。
【請求項８】
前記球通過部の遊技球通過に伴い前記開閉装置が開放される時、前記演出時間短縮化手段は、前記球通過部の遊技球通過の検出に代えて、開閉装置が開放されることに合わせて遊技演出時間の短縮化を実施することを特徴とする請求項５乃至７のいずれかに記載の遊技機。
【請求項９】
前記演出時間短縮化手段は、前記球通過部を遊技球が通過してそれが検出された後、それに引き続いて遊技球が前記演出始動口を通過するまでに、前記遊技演出を終了させるよう遊技演出時間を短縮することを特徴とする請求項１乃至８のいずれかに記載の遊技機。
【手続補正書】
【提出日】平成18年8月8日(2006.8.8)
【手続補正１】
【補正対象書類名】特許請求の範囲
【補正対象項目名】全文
【補正方法】変更
【補正の内容】
【特許請求の範囲】
【請求項１】
絵柄を変動表示する絵柄表示装置と、
所定の変動開始条件の成立に伴い所定の変動時間にて絵柄の変動表示を実施する表示制御手段と、
前記絵柄表示装置で変動表示された後の停止絵柄が所定の特定絵柄である場合に開放状態となり、特定導入領域への遊技球の導入を許容する開閉装置とを備え、
前記開閉装置の開放に伴い少なくとも１個の遊技球が前記特定導入領域に導入されると特定遊技状態になる遊技機において、
前記特定遊技状態下で前記絵柄表示装置による絵柄変動の時間を延長する変動時間延長化手段を備えたことを特徴とする遊技機。
【請求項２】
絵柄を変動表示する絵柄表示装置と、
所定の変動開始条件の成立に伴い所定の変動時間にて絵柄の変動表示を実施する表示制御手段と、
前記絵柄表示装置で変動表示された後の停止絵柄が所定の特定絵柄である場合に開放状態となり、特定導入領域への遊技球の導入を許容する開閉装置とを備え、
前記開閉装置の開放に伴い少なくとも１個の遊技球が前記特定導入領域に導入されると特定遊技状態になり、その特定遊技状態下で遊技球が再び前記特定導入領域に導入されると特定遊技状態が消滅する遊技機において、
前記特定遊技状態下で前記絵柄表示装置による絵柄変動の時間を延長する変動時間延長化手段を備えたことを特徴とする遊技機。
【請求項３】
前記変動時間延長化手段は、前記特定遊技状態下で少なくとも最初の前記絵柄表示装置による絵柄変動の時間を延長することを特徴とする請求項１又は２に記載の遊技機。
【請求項４】
前記変動時間延長化手段は、当初設定した変動時間に付加時間を加算することで絵柄変動時間を延長することを特徴とする請求項１乃至３のいずれかに記載の遊技機。
【請求項５】
前記変動時間延長化手段は、前記特定遊技状態が継続されている間は前記絵柄の変動表示が継続されるよう絵柄変動時間を延長することを特徴とする請求項１乃至４のいずれかに記載の遊技機。
【請求項６】
前記特定遊技状態中に連続入賞装置を開放状態として遊技球の連続入賞を可能とする遊技機であって、前記変動時間延長化手段は、前記特定遊技状態中における前記連続入賞装置の開放制御に要すると想定される開放制御時間よりも絵柄変動時間を延長することを特徴とする請求項１乃至４のいずれかに記載の遊技機。
【請求項７】
所定周期で少なくとも１個の遊技球の入賞を可能とする周期入賞装置と、該周期入賞装置に遊技球が入賞する都度、遊技球の連続入賞を許容する連続入賞装置とを備え、前記特定遊技状態中、前記周期入賞装置及び前記連続入賞装置にそれぞれ所定個分の遊技球入賞があるまでは特定遊技状態を継続するようにした遊技機であって、前記変動時間延長化手段は、前記周期入賞装置及び前記連続入賞装置にそれぞれ所定個分の遊技球が入賞するのに要すると想定される所要時間よりも絵柄変動時間を延長することを特徴とする請求項１乃至４のいずれかに記載の遊技機。
【請求項８】
所定の変動開始条件の成立に伴い前記絵柄表示装置の停止絵柄を特定絵柄にするか、特定絵柄以外の非特定絵柄とするかを決定する絵柄決定手段を備え、前記変動時間延長化手段は、前記絵柄決定手段により前記特定絵柄とすることが決定される場合に絵柄変動時間の延長を実施することを特徴とする請求項１乃至７のいずれかに記載の遊技機。
【請求項９】
所定の変動開始条件の成立に伴い前記絵柄表示装置の停止絵柄を特定絵柄にするか、特定絵柄以外の非特定絵柄とするかを決定する絵柄決定手段を備え、前記変動時間延長化手段は、前記絵柄決定手段により前記非特定絵柄とすることが決定される場合には絵柄変動時間の延長を実施しないことを特徴とする請求項１乃至８のいずれかに記載の遊技機。